(57)【特許請求の範囲】
【請求項１】
軸方向に珪素鋼板をドーナツ状に積層すると共に径方向に冷却媒体が通過する複数の通風ダクトを形成した固定子鉄心と、
前記固定子鉄心の内径部の近傍に軸方向に形成したスロットと、
前記スロットに装着し、前記固定子鉄心の軸方向両端部より突出するコイルエンドを有する固定子巻線とからなる固定子と、
前記固定子鉄心の軸方向両端部に設けられ、前記固定子鉄心を挟持する固定子鉄心押え板と、
前記固定子の内径側に空隙を介して回転自在にベースフレームに軸支される回転子と、
前記回転子の両軸端に設けられ冷却媒体を前記固定子および回転子に送風する軸流ファンと、
前記軸流ファンの送風によって前記固定子および回転子を冷却した冷却媒体を冷却する冷却媒体冷却器と、
前記冷却媒体冷却器で冷却された冷却媒体を前記軸流ファンの吸い込み側に誘導する固定子フレームとからなる回転電機において、
前記軸流ファンから送風される冷却媒体が前記固定子鉄心押え板と固定子フレームとの間の空隙を通過するのを制限するように前記両側の固定子鉄心押え板の外周部を前記固定子フレームに当接させると共に前記冷却媒体冷却器を前記両側の固定子鉄心押え板で保持し、前記各固定子鉄心押え板の下部の端縁が前記ベースフレームに載置固定されていることを特徴とする回転電機。
【請求項２】
前記固定子鉄心押え板の固定子鉄心の外径部よりも外側部分に前記軸流ファンから送風される冷却媒体の一部が通過する複数の通風穴を設け、この一部の冷却媒体によって前記固定子巻線のコイルエンドを冷却することを特徴とする請求項１記載の回転電機。
【請求項３】
軸方向に珪素鋼板をドーナツ状に積層すると共に径方向に冷却媒体が通過する複数の通風ダクトを形成した固定子鉄心と、
前記固定子鉄心の内径部の近傍に軸方向に形成したスロットと、
前記スロットに装着し、前記固定子鉄心の軸方向両端部より突出するコイルエンドを有する固定子巻線とからなる固定子と、
前記固定子鉄心の軸方向両端部に設けられ、前記固定子鉄心を挟持する固定子鉄心押え板と、
前記固定子の内径側に空隙を介して回転自在にベースフレームに軸支される回転子と、
前記回転子の両軸端に設けられ冷却媒体を前記固定子および回転子に送風する軸流ファンと、
前記軸流ファンの送風によって前記固定子および回転子を冷却した冷却媒体を冷却する冷却媒体冷却器と、
前記冷却媒体冷却器で冷却された冷却媒体を前記軸流ファンの吸い込み側に誘導する固定子フレームとからなる回転電機において、
前記軸流ファンから送風される冷却媒体が前記固定子鉄心押え板と固定子フレームとの空隙を通過するのを制限すると共に、前記冷却媒体冷却器を保持する防風板を前記固定子鉄心押え板に設け、前記各固定子鉄心押え板の下部の端縁が前記ベースフレームに載置固定されていることを特徴とする回転電機。
【請求項４】
前記防風板に前記軸流ファンから送風される冷却媒体の一部が通過する複数の通風穴を設け、この一部の冷却媒体によって前記固定子巻線のコイルエンドを冷却することを特徴とする請求項３記載の回転電機。
【発明の詳細な説明】
【技術分野】
【０００１】
本発明は、固定子コイルを均一に冷却することのできる回転電機に関する。
【背景技術】
【０００２】
直流機、同期機または誘導機などの回転電機は、構造面では回転子と固定子によって構成されており、機能面では電磁誘導原理を利用して、電気エネルギーと機械エネルギー（回転エネルギー）の相互変換を行うものである。
【０００３】
回転電機を運転すると、鉄損、銅損、漂遊負荷損、摩擦損や風損などの損失が発生し、この損失の大部分は熱エネルギーに変換されて機器の温度上昇を招く。回転電機内部には電気絶縁物により対地絶縁および層間絶縁されたコイルが巻装されており、この電気絶縁物が劣化すると、焼損や短絡事故の発生の可能性が高くなるので回転電機における温度上昇は重要なポイントである。従って規格でも許容最高温度・温度上昇限度が規定されている。なお、この許容最高温度・温度上昇限度は絶縁物の構成材料によって決まる絶縁階級によって異なる。一般にいわゆる７℃の法則と言われるように、各種絶縁材料の使用温度が７〜１０℃上昇するごとにその寿命は半減すると言われている。
【０００４】
そのため回転電機では内部に冷却ファンを設け、この冷却ファンによって強制通風して冷却する方法が採用され、開放型のように回転電機の外部から空気を取り入れ、この空気を回転電機内部に循環させて冷却後の空気を回転電機外部に排出する方式、全閉外扇形のように内部の空気と外部の空気を遮断し、回転電機のフレームをファン等により機械的に強制通風して外部から冷却する方式、あるいは冷却媒体を冷却器もしくは熱交換器によって冷却する内冷形など種々方式が実用化されている。
【０００５】
この場合、効果的に冷却するために珪素鋼板を積層して回転子および固定子を製作する際に、積層方向に一定の間隔毎にダクトピースを介在させて通風ダクトを設けて鉄心および鉄心内のコイルを冷却する構造としている（例えば、非特許文献１参照）。
【０００６】
しかし、これらの従来の冷却方式は回転子および固定子に冷却媒体をファンによって通風し熱を取り去ることで冷却することに終始して、より効率的に冷却することまでは着目していない。
【０００７】
以下、従来から使用されている同期発電機の冷却構造の一例を図９に基づいて説明する。図９は非特許文献１に掲載された従来の全閉内冷型両吸込通風型同期発電機を簡略化した構成図であり、軸中心から上部の断面を示している。図１０は図９のＸ−Ｘ断面矢視図であり、軸中心から下部も図示している。
【０００８】
図９の左右はほぼ対称であるから、説明を簡単にするために図示右側部分を代表して説明する。
１は固定子であり、四角い箱形をした固定子フレーム２と、この固定子フレーム２内に収容され、軸方向に珪素鋼板をドーナツ状に積層すると共に径方向に冷却媒体９が通過する複数の通風ダクト１１を形成した固定子鉄心３と、この固定子鉄心３の内径部の近傍に軸方向に形成したスロットに装着した固定子コイル４とから構成されている。
【０００９】
固定子鉄心３の両端は、固定子鉄心押え板５によって挟持され、この固定子鉄心押え板５は図示しないスタッドによって一体的に締結されている。この固定子鉄心押え板５は、固定子鉄心３の内径の中心（後述する回転子６の回転中心）を含む水平切断面よりも上部が固定子鉄心３の外径部よりも大きい外径の半円弧部として形成され、下部が三角形状に外側に張出した固定脚部５Ｌとして形成しており、この三角形状の固定脚部５Ｌによってベース（土台）フレーム２０上に固定されている。すなわち、固定子１は、三角形状の固定脚部５Ｌによってベースフレーム２０上に固定されている。２０Ｓはベースフレーム２０の側面板である。
【００１０】
固定子鉄心３の内径側空間部には、空隙を介して突極型の回転子６が配置され、その回転子６の両端部は軸受７により回転自在に軸支されている。そして、この回転子６の端部と軸受７との間に軸流ファン８を設けている。１７は軸流ファン８の外周部に近接するように固定子フレーム２に固定された仕切板である。
【００１１】
固定子フレーム２は、固定子鉄心３の上部背面と対向した天上部に開口部１３を設けるとともに、前記軸受７および軸流ファン８間の空間と対向した天上部にも開口部１４を設けている。１２は冷却媒体冷却器（熱交換器）であり、冷媒取入れ口を開口部１３に対向配置し、冷媒出口を反対側すなわち上部に配置している。
【００１２】
さらに、冷却媒体冷却器１２および固定子フレーム２の開口部１３、１４を底のない箱状の風導ケース１６で一体的に覆うことにより、冷却媒体冷却器１２の図示上部および左右に通風路１５を形成している。
【００１３】
このように構成された従来の全閉内冷型両吸込通風型同期発電機では、回転子６の端部に設けられた軸流ファン８によって吸気口１８より吸い込まれた冷却媒体９の一部は、回転子６の界磁極相互間に形成された軸方向通風部１０の軸方向の中心部に向かって流れて行き、まず回転子６を冷却したあと、回転子６の遠心ファン効果により固定子鉄心３の通風ダクト１１を通って固定子鉄心３および固定子コイル４に発生した熱量を奪い去り冷却する。そして、通風ダクト１１から排出された冷却媒体９は、固定子フレーム２の上部に設置された冷却媒体冷却器１２によって冷却する。
この構造では図１０の軸方向断面図で示すように、固定子フレーム２の内側壁面と固定子鉄心押え板５の外周部との間に大きな隙間１９が形成されている。
【００１４】
軸流ファン８によって吸い込まれた冷却媒体９のうち、大部分は回転子６の軸方向通風部１０から固定子鉄心３の通風ダクト１１に送風され回転子６および固定子１を冷却して高温になった後、固定子フレーム２の開口部１３を経て冷却媒体冷却器１２に送られて冷却されるが、残りは回転子６の軸方向通風部１０を通らずに固定子コイルエンド４Ｅおよび固定子鉄心３の側部を冷却して高温になった後、隙間１９を抜け、固定子フレーム２の開口部１３を経て冷却媒体冷却器１２に送られて冷却される。冷却媒体冷却器１２で冷却された冷却媒体９は、通風路１５から左右の開口部１４を通って再び固定子フレーム２の吸気口１８に至る。
【００１５】
ところで、軸方向通風部１０から通風ダクト１１を通る冷却媒体９によって冷却される固定子コイル４の中心部の温度と、固定子フレーム２と固定子鉄心押え板５の間の隙間１９を通る冷却媒体９によって冷却される固定子コイルエンド４Ｅの温度とは等しいことが理想的ではあるが、隙間１９の開口面積が大きいと、ここを抜ける冷却媒体９の風量が多くなって、固定子コイル４の中央部よりも固定子コイルエンド４Ｅを強く冷却することとなる。このため、固定子コイルエンド４Ｅの温度は固定子コイル４の中央部の温度よりもかなり低くなって、固定子コイル４の中心部と両コイルエンド部との温度分布にアンバランスが生じる。この結果、固定子コイル４の軸方向位置に対する熱膨張量が不均一になり、固定子コイル４の絶縁物にストレスが生じたり、さらには亀裂や絶縁破壊が発生するおそれがある。
【００１６】
また固定子コイル４中央部の最高温度箇所を適正温度に冷却するためには、軸流ファン８の容量を固定子コイル４の温度を規定温度以下に冷却するのに十分な容量とすればよいが、その場合には通風量が多くなり、中央部以外の固定子コイル４では必要以上の通風量となって風損が大きく、軸流ファン８の容量も大きくなって、回転電機の総合効率にも影響を及ぼすことになる。
【００１７】
この課題を解決するため、特許文献１で示すように、別途冷却器を設けて軸方向中央部のみ冷却を促進している例もある。
【先行技術文献】
【特許文献】
【００１８】
【特許文献１】特開２００２−１７０７０号公報
【非特許文献】
【００１９】
【非特許文献１】電気学会編、「電気工学ハンドブック」、昭和５３年４月発行、１３編同期機  第２章タービン発電機、第６８９頁、図４（通風系統説明図）
【発明の概要】
【発明が解決しようとする課題】
【００２０】
しかしながら、上記特許文献１記載の方法を図９の構造に採用した場合、固定子鉄心３の外側の通風ダクト構造が複雑になり、また、複数の冷却器が必要となる欠点がある。
【００２１】
そこで本発明は、上記事情に鑑みてなされたもので、固定子コイルを軸方向に均一に冷却できるようにすることにより、固定子コイルの絶縁物にストレスを生じさせず、亀裂や絶縁破壊が発生するおそれのない回転電機を提供することを目的とするものである。
【課題を解決するための手段】
【００２２】
上記目的を達成するために、請求項１に係る回転電機の発明は、軸方向に珪素鋼板をドーナツ状に積層すると共に径方向に冷却媒体が通過する複数の通風ダクトを形成した固定子鉄心と、前記固定子鉄心の内径部の近傍に軸方向に形成したスロットと、前記スロットに装着し、前記固定子鉄心の軸方向両端部より突出するコイルエンドを有する固定子巻線とからなる固定子と、前記固定子鉄心の軸方向両端部に設けられ、前記固定子鉄心を挟持する固定子鉄心押え板と、前記固定子の内径側に空隙を介して回転自在にベースフレームに軸支される回転子と、前記回転子の両軸端に設けられ冷却媒体を前記固定子および回転子に送風する軸流ファンと、前記軸流ファンの送風によって前記固定子および回転子を冷却した冷却媒体を冷却する冷却媒体冷却器と、前記冷却媒体冷却器で冷却された冷却媒体を前記軸流ファンの吸い込み側に誘導する固定子フレームとからなる回転電機において、前記軸流ファンから送風される冷却媒体が前記固定子鉄心押え板と固定子フレームとの間の空隙を通過するのを制限するように前記両側の固定子鉄心押え板の外周部を前記固定子フレームに当接させると共に前記冷却媒体冷却器を前記両側の固定子鉄心押え板で保持し、前記各固定子鉄心押え板の下部の端縁が前記ベースフレームに載置固定されていることを特徴とする。
【００２３】
また、請求項２に係る回転電機の発明は、請求項１記載の回転電機において、前記固定子鉄心押え板の固定子鉄心の外径部よりも外側部分に前記軸流ファンから送風される冷却媒体の一部が通過する複数の通風穴を設け、この一部の冷却媒体によって前記固定子巻線のコイルエンドを冷却することを特徴とする。
【００２４】
さらに、請求項３に係る回転電機の発明は、軸方向に珪素鋼板をドーナツ状に積層すると共に径方向に冷却媒体が通過する複数の通風ダクトを形成した固定子鉄心と、前記固定子鉄心の内径部の近傍に軸方向に形成したスロットと、前記スロットに装着し、前記固定子鉄心の軸方向両端部より突出するコイルエンドを有する固定子巻線とからなる固定子と、前記固定子鉄心の軸方向両端部に設けられ、前記固定子鉄心を挟持する固定子鉄心押え板と、前記固定子の内径側に空隙を介して回転自在にベースフレームに軸支される回転子と、前記回転子の両軸端に設けられ冷却媒体を前記固定子および回転子に送風する軸流ファンと、前記軸流ファンの送風によって前記固定子および回転子を冷却した冷却媒体を冷却する冷却媒体冷却器と、前記冷却媒体冷却器で冷却された冷却媒体を前記軸流ファンの吸い込み側に誘導する固定子フレームとからなる回転電機において、前記軸流ファンから送風される冷却媒体が前記固定子鉄心押え板と固定子フレームとの空隙を通過するのを制限すると共に、前記冷却媒体冷却器を保持する防風板を前記固定子鉄心押え板に設け、前記各固定子鉄心押え板の下部の端縁が前記ベースフレームに載置固定されていることを特徴とする。
【００２５】
さらにまた、請求項４に係る回転電機の発明は、請求項３記載の回転電機において、前記防風板に前記軸流ファンから送風される冷却媒体の一部が通過する複数の通風穴を設け、この一部の冷却媒体によって前記固定子巻線のコイルエンドを冷却することを特徴とする。
【発明の効果】
【００２６】
本発明によれば、固定子コイルを軸方向に均一に冷却することができるので、固定子コイルの絶縁物にストレスを生じさせず、亀裂や絶縁破壊が発生するおそれのない回転電機を提供することができる。
【図面の簡単な説明】
【００２７】
【図１】本発明の第１実施形態に係る回転電機の構成図。
【図２】図１に示す回転電機のII−II断面矢視図。
【図３】本発明の第２実施形態の回転電機の構成図。
【図４】図３に示す回転電機のIV−IV断面矢視図。
【図５】本発明の第３実施形態の回転電機の構成図。
【図６】図５に示す回転電機のVI−VI断面矢視図。
【図７】本発明の第４実施形態の回転電機の構成図。
【図８】図７に示す回転電機のVIII−VIII断面矢視図。
【図９】従来の回転電機の構成図。
【図１０】図９の回転電機のＸ−Ｘ断面矢視図。
【発明を実施するための形態】
【００２８】
以下、本発明の実施形態について、図面を参照して説明する。なお、各図を通して共通する部品あるいは部位には同一符号を付与する。
【００２９】
［第１実施形態］
図１は本発明の第１実施形態に係る回転電機の構成図であり、回転電機の例として全閉内冷型両吸込通風型同期発電機を採り上げ、軸中心から上部の断面を示す。図２は図１のII−II断面矢視図であり、軸中心から下部も含む。
【００３０】
［構成］
図１および図２において、１は固定子であり、四角い箱形をした固定子フレーム２と、この固定子フレーム２内に収容され、軸方向に珪素鋼板をドーナツ状に積層すると共に径方向に冷却媒体９が通過する複数の通風ダクト１１を形成した固定子鉄心３と、この固定子鉄心３の内径部の近傍に軸方向に形成したスロットに装着した固定子コイル４とから構成されている。固定子鉄心３の両端は、後述する固定子鉄心押え板５Ａによって挟持され、さらに固定子鉄心押え板５Ａは図示しないスタッドによって一体的に締結されている。
【００３１】
固定子鉄心３の内径側空間部には、空隙を介して突極型の回転子６が配置され、その両端部は軸受７により回転自在に軸支されている。そして、この回転子６の端部と軸受７との間に軸流ファン８を設けている。１７は軸流ファン８の外周部に近接するように固定子フレーム２に固定された仕切板である。
【００３２】
固定子フレーム２は、両側の固定子鉄心押え板５Ａ相互間に位置する固定子鉄心３の上部背面と対向した天上部に開口部１３を設けるとともに、仕切板１７の外側で前記軸受７および軸流ファン８間の空間と対向した天上部にも開口部１４を設けている。１２は冷却媒体冷却器（熱交換器）であり、冷媒取入れ口を開口部１３に対向配置し、冷媒出口を反対側すなわち上部に配置している。
【００３３】
そして、冷却媒体冷却器１２と、固定子フレーム２に設けた開口部１３、１４とを底のない箱状の風導ケース１６で一体的に覆うことによって冷却媒体冷却器１２の上部空間部およびその左右の空間部に通風路１５を形成している。
【００３４】
以上の構成は、固定子鉄心押え板を除いて、図９に示す従来例とほぼ同様であるが、本実施形態ではその固定子鉄心押え板５Ａの形状および冷却媒体９の送風経路が一部異なっている。
【００３５】
すなわち、本実施形態で採用した固定子鉄心押え板５Ａは、図９に示したような上半部が円弧状で下半分が三角形状に張り出した形状の固定子鉄心押え板５とは形状が異なり、固定子フレーム２の内側壁面と固定子鉄心押え板５の外周部との間の隙間１９を閉塞あるいは制限するために、固定子鉄心押え板５Ａの外周部である上部の縁部および左右の縁部が、固定子フレーム２の上部内壁部および左右の内壁部に対して気密あるいは気密に近い状態で当接している。そして、下部の縁部の両端部はベースフレーム２０に載置固定され、中間部はベースフレーム２０の側面板２０Ｓ対して気密あるいは気密に近い状態で当接するように形成されている。
【００３６】
さらに、冷却媒体冷却器１２は、冷媒取入れ口が固定子フレーム２の開口部１３に対向するように両側に配置された固定子鉄心押え板５Ａ上に載置されて固定されている。
【００３７】
［作用効果］
次に本実施形態の作用効果について説明する。
軸流ファン８によって吸気口１８より吸い込まれた冷却媒体９の大部分は、回転子６の界磁極相互間に形成された軸方向通風部１０を流れて回転子６を冷却した後、さらに回転子６の自己通風遠心ファン効果により、固定子鉄心３の通風ダクト１１内を流れて固定子コイル４を冷却した後、固定子鉄心３背面と固定子フレーム２間の空間部に吐出される。その後、冷却媒体９は固定子フレーム２の上部に設置された冷却媒体冷却器１２によって冷却されたのち、風導ケース１６内の通風路１５から開口部１４を通って再び固定子フレーム２内の吸気口１８に戻る。
【００３８】
この全閉内冷型両吸込通風型同期発電機の構造では、図２の軸方向断面図で示すように、固定子フレーム２の内側壁面と固定子鉄心押え板５Ａの外周部とは、気密あるいは気密に近い状態で当接しており、従来存在していた隙間１９を塞いでいるため、軸流ファン８によって吸い込まれた冷却媒体９のほとんどが軸方向通風部１０に送られる。このため、固定子コイル４の中央部を冷却する冷却媒体９の風量が増え、その分固定子コイル４の中央部の温度が低くなる。
【００３９】
一方、符号９−１で示すように、軸方向通風部１０の手前で分流した冷却媒体９の一部は、固定子鉄心３、固定子鉄心押え板５Ａおよび仕切板１７で囲まれた空間部に流れて固定子コイルエンド４Ｅを冷却するため、従来のように固定子コイルエンド４Ｅの過冷却は行なわれず、逆に温度は上がる。
【００４０】
このように、本実施形態によれば、固定子コイル４の中央部の温度が低くなり、逆に固定子コイルエンド４Ｅの温度が上がる結果、固定子コイル４の軸方向の温度分布は均一化される。
【００４１】
固定子コイル４の軸方向温度分布の均一化が図れることによって、従来機種よりも冷却風量を減らしても固定子コイル４の温度を規定値以下にすることができるため、軸流ファン８を従来機種よりも小さくすることができる。軸流ファンが小さくなることにより、ファン圧力（＝通風抵抗）が小さくなり、通風量も必要最低通風量となる。通風抵抗が小さくなることより、効率が高くなる。
【００４２】
従って、固定子フレーム２の内側壁面に対して気密あるいは気密に近い状態に両側の固定子鉄心押え板５Ａを当接させることにより、固定子コイルを軸方向に均一に冷却して、固定子コイルの絶縁物にストレスを生じさせず、亀裂や絶縁破壊が発生する恐れのない回転電機を提供することができる。さらに、固定子鉄心３の両側の固定子鉄心押え板５Ａによって冷却媒体冷却器１２を直接固定するようにしたので、固定子フレーム２を従来機種よりも軽量化することができる。
【００４３】
［第２実施形態］
図３は本発明の第２実施形態に係る回転電機の構成図であり、回転電機の例として第１実施形態同様、全閉内冷型両吸込通風型同期発電機を採り上げ、軸中心から上部の断面を示す。図４は図３のIV−IV断面矢視図であり、軸中心から下部も図示している。
【００４４】
［構成］
図３および図４において、図１または図２と同一部品又は同一部位については、対応する符号を付与して重複する説明は適宜省略する。
本実施形態が図１および図２で示した第１実施形態と相違する点は、固定子鉄心押え板５Ｂの形状および機能にある。
【００４５】
本実施形態の固定子鉄心押え板５Ｂは、固定子鉄心３の外径部よりも外側に位置する部分に通風穴２１を設け、固定子鉄心押え板５Ｂと仕切板１７とで形成した空間部と、固定子鉄心３の背面の空間部とを通風穴２１により連通させるようにしたことにある。その他の構成は図１および図２と同じなので説明は省略する。
【００４６】
［作用効果］
次に本実施形態の作用効果について説明する。
本実施形態は、第１実施形態の奏する作用効果に加えて、軸方向通風部１０の手前で分流した冷却媒体９−２が第１実施形態の冷却媒体９−１のように固定子鉄心３、固定子鉄心押え板５Ｂおよび仕切板１７で囲まれた空間部を還流せずに通風穴２１から固定子鉄心３の背面の空間部に流れるため、第１実施形態の場合よりも固定子コイルエンド４Ｅの冷却を行うことができ、固定子コイルエンド４Ｅにおける発熱量の大きい機種に対し有効である。
【００４７】
従って、本実施形態は、第１実施形態と同様に固定子コイル４を均一に冷却し、固定子コイルの絶縁物にストレスを生じさせず、亀裂や絶縁破壊が発生するおそれのない回転電機を提供することができる。
【００４８】
［第３実施形態］
図５は、本発明の第３実施形態に係る回転電機の構成図であり、回転電機の例として第１実施形態同様、全閉内冷型両吸込通風型同期発電機を採り上げ、軸中心から上部の断面を示す。図６は図５のVI−VI断面矢視図であり、軸中心から下部も図示している。
【００４９】
［構成］
図５および図６において、図１ないし図４と同一部品又は同一部位については、対応する符号を付与して重複する説明は適宜省略する。
本実施形態が、図１ないし図４で示した第１実施形態や第２実施形態と相違する点は、固定子鉄心押え板５を図９および図１０で示したものと同じ形状とし、固定子フレーム２の内側壁面と固定子鉄心押え板５の外周部との間の隙間１９と同じ形状の防風板２２を新たに用意し、この防風板２２で隙間１９を閉塞するようにしたことにある。その他の構成は図９および図１０と同じなので説明は省略する。
【００５０】
［作用効果］
次に本実施形態の作用効果について説明する。
本実施形態は、図９および図１０で採用した固定子鉄心押え板５をそのまま採用し、さらに固定子フレーム２と固定子鉄心押え板５の間に新たに設けた防風板２２で隙間１９を閉塞するようにしたので冷却媒体９の挙動は、第１実施形態とほぼ同じである。
【００５１】
従って、本実施形態は、第１実施形態と同様に固定子コイル４を均一に冷却し、固定子コイルの絶縁物にストレスを生じさせず、亀裂や絶縁破壊が発生するおそれのない回転電機が提供できることに加え、防風板２２を固定子フレーム２と固定子鉄心押え板５の間に設けることにより、従来機種の回転電機に対して容易に実施することができるという特徴を備えている。
【００５２】
［第４実施形態］
図７は、本発明の第４実施形態に係る回転電機の構成図であり、回転電機の例として第１実施形態同様、全閉内冷型両吸込通風型同期発電機を採り上げ、軸中心から上部の断面を示す。図８は図７のVIII−VIII断面矢視図であり、軸中心から下部も図示している。
【００５３】
［構成］
図７および図８において、図５または図６と同一部品又は同一部位については、対応する符号を付与して重複する説明は適宜省略する。
本実施形態が図５および図６で示した第３実施形態と相違する点は、防風板２２に通風穴２３を設け、防風板２２と仕切板１７とで形成した空間部と、固定子鉄心３の背面の空間部とを通風穴２３により連通させるようにしたことにある。その他の構成は図５および図６と同じなので説明は省略する。
【００５４】
［作用効果］
次に本実施形態の作用について説明する。
本実施形態は、第３実施形態の奏する作用効果に加えて、軸方向通風部１０の手前で分流した冷却媒体９−２が第３実施形態の冷却媒体９−１のように空間部を還流せずに通風穴２３から固定子鉄心３の背面の空間部に流れるため、第３実施形態の場合よりも固定子コイルエンド４Ｅの冷却を行うことができる。従って、固定子コイルエンド４Ｅにおける発熱量の大きい機種に対し有効である。
【００５５】
従って、本実施形態は、第１乃至第３実施形態と同様に固定子コイル４を均一に冷却し、固定子コイルの絶縁物にストレスを生じさせず、亀裂や絶縁破壊が発生するおそれのない回転電機を提供することができる。
【００５６】
［変形例］
なお、上記の実施形態では突極型同期機を例に挙げて説明したが、本発明の回転電機は突極型同期機に限られることはなく、固定子と回転子とから構成され、ファンを具備した回転電機であれば、機種、容量、型式の如何にかかわらず適用できることは勿論である。
【符号の説明】
【００５７】
１…固定子、２…固定子フレーム、３…固定子鉄心、４…固定子コイル、４Ｅ…固定子コイルエンド、５、５Ａ、５Ｂ…固定子鉄心押え板、６…回転子、７…軸受、８…軸流ファン、９、９−１、９−２…冷却媒体、１０…軸方向通風部、１１…通風ダクト、１２…冷却媒体冷却器（熱交換器）、１３…開口部、１４…開口部、１５…通風路、１６…風導ケース、１７…仕切板、１８…吸気口、１９…隙間、２０…ベースフレーム、２１…通風穴、２２…防風板、２３…通風穴。
【図１】
0005839270.tif 000002
【図２】
0005839270.tif 000003
【図３】
0005839270.tif 000004
【図４】
0005839270.tif 000005
【図５】
0005839270.tif 000006
【図６】
0005839270.tif 000007
【図７】
0005839270.tif 000008
【図８】
0005839270.tif 000009
【図９】
0005839270.tif 000010
【図１０】
0005839270.tif 000011